(57)【要約】【課題】量産性に優れはき心地が良くフィット感に優れた、且つ非熟練の作業者でも容易に縫製できる手袋を提供することを目的とする。【解決手段】シート状素材の各パーツを縫合した５本指形の手袋Ａで、甲側のパーツＰ１は、人指し指部分１ｂから小指部分１ｅにかけての各指先部分ｎで相互に開き、股部分ｍが相互に密着した形態の主部のパーツＡａとこれと別のパーツの親指部分のパーツＡｂを備え、掌側のパーツＰ２は、人指し指部分２ｂから小指部分２ｅにかけての各指が相互に密着した主部２Ｂと、この主部２Ｂの人指し指部分に対し略７０〜８５度の挟み角を有するように、付け根から延びるような形態の親指部２Ａとを一体に備え、前記甲側の親指部分のパーツＡｂと主部のパーツＡａが縫着されることによって甲側のパーツＰ１が形成され、これら甲側のパーツＰ１が掌側のパーツＰ２と、各対応する部位の各外縁が重ね合わされた状態で縫合されてなる。【選択図】図１
2018009267.tif 000002
【特許請求の範囲】
【請求項１】
シート状の素材からなる複数のパーツを縫合することによって形成される５本指形の手袋であって、
本手袋の甲側のパーツは、
人指し指部分から小指部分にかけての各指と指とが指先部分で相互に開いた形態をなし、これらの指の股部分が相互に密着した形態の主部のパーツと、
前記主部のパーツと別のパーツを形成する親指部分のパーツとを備え、
本手袋の掌側のパーツは、
人指し指部分から小指部分にかけての各指と指とが相互に密着した形態をした主部と、
親指部分が前記主部の人指し指部分の指長手方向に対して略７０度から略８５度の挟み角を有するように、当該人指し指部分の親指側の付け根から延びるような形態に配置される親指部とを、一体に備え、
前記甲側の親指部分のパーツが前記甲側の主部のパーツに縫着されることによって甲側のパーツが形成されるとともに、これら縫着された前記甲側のパーツが、前記掌側のパーツと、それぞれの対応する部位の各外縁が一致するように重ね合わせた状態で該外縁に沿って縫合されてなることを特徴とする手袋。
【請求項２】
シート状の素材からなる複数のパーツを縫合することによって形成される５本指形の手袋であって、
本手袋の甲側のパーツは、
人指し指部分と中指部分の間及び薬指部分と小指部分との間の各指と指とが指先部分で相互に開いた形態をなすととともに、中指部分と薬指部分との間が相互に平行状に且つ密着して配置された形態を有し、人指し指部分から小指部分の各指部分の股部分が相互に密着した形態の主部のパーツと、
前記主部のパーツとは別のパーツを形成する親指部分のパーツとを備え、
本手袋の掌側のパーツは、
人指し指部分から小指部分にかけての各指と指とが相互に密着した形態をした主部と、
親指部分が前記主部の人指し指部分の指長手方向に対して略７５度から略８５度の挟み角を有するように、当該人指し指部分の親指側の付け根から延びるような形態に配置された親指部とを、一体に備え、
前記甲側の親指部分のパーツが前記甲側の主部のパーツに縫着されるとともに、前記主部のパーツの前記中指部分と薬指部分との間の股部分に平面視が略Ｖ字状の襠部分を縫着し、これら縫着された前記甲側のパーツと前記掌側のパーツのそれぞれの対応する部位の各外縁が一致するように重ね合わせた状態で該外縁に沿って縫合されてなることを特徴とする手袋。
【請求項３】
前記手袋において、前記主部のパーツ及び前記親指部分のパーツの各指部分が、当該指部分の上面と両側の側面を形成するような幅寸法を有している請求項１又は２記載の手袋。
【請求項４】
前記手袋において、前記主部のパーツ及び前記親指部分のパーツを、伸縮性のあるニット素材で構成されていることを特徴とする請求項１〜３のいずれか１の項に記載の手袋。
【請求項５】
前記手袋において、前記掌側のパーツの各指の長さを、前記主部のパーツ及び前記親指部分のパーツの各指の長さに比べて、若干長く構成したことを特徴とする請求項１〜４のいずれか１の項に記載の手袋。
【発明の詳細な説明】
【技術分野】
【０００１】
本発明は、手袋に関し、特に生産性に優れ且つ「はき心地」の良い手袋に関する。
【背景技術】
【０００２】
多数のパーツ同士を縫製することによって製造する手袋は、縫合する各パーツの形状を適正な形状にすることによって、手の形態（立体的形状）に可及的に合致した立体形状を有する手袋となり、その結果、はき心地の良い手袋となる。
【０００３】
前述のような多数のパーツ同士を縫合することによって立体的な形状にした手袋として特許文献１に示すような手袋がある。
【０００４】
しかしながら、前記したような多数のパーツを縫製することによって製造される手袋は、縫合箇所が多く且つ複雑な縫製（縫合）作業が必要となる。このように、かかる手袋は多くの生産工程と時間を必要とすることから、製造原価の高い手袋となる。つまり、生産性の低い手袋となっている。
具体的には、手袋の細部（例えば、指先部分や指の股部分）を縫合する際には、縫合しようとする箇所を、ミシンでの運針に合わせて、ピンセットによって持ち替えておこなうような作業が、余儀なくされているのである。
また、このような多数の各パーツを縫製することによって製造される手袋の場合、前述のような細かい特殊な作業がおこなわれることから、熟練した作業者が必要となる。  しかしながら、近年、かかる熟練した作業者を安定的に雇用することが企業にとって難しいという、社会的な状況がある。
このような状況は、人件費が低い海外の開発途上国での生産が有利となり、我が国の手袋メーカー（製造業者）の空洞化を促進する大きな要素となっている。
【０００５】
このような状況のもと、本出願人によってシート状の２枚のパーツのみを縫合することによって、手の立体的な形状に近づけた、はき心地の良い、しかも生産性に優れ、且つ非熟練の作業者でも容易に縫製できるような、手袋が提供された（特許文献２参照）。
【先行技術文献】
【特許文献】
【０００６】
【特許文献１】特許公開２００９−１０８４４３号公報
【特許文献２】特許公開２０１１−１６２９０３号公報
【発明の概要】
【発明が解決しようとする課題】
【０００７】
しかしながら、前記特許文献２記載の、２枚のパーツのみを縫合することによって手の立体的な形状に近似した手袋の場合、基本的に平面的な形状のシートでもって立体的な形状にしようとすることから、手に十分フィットするような手袋にはならない。
つまり、かかる特許文献２記載の手袋の構成からして、掌を広げたような状態にすると、各指と指との間から掌の中央部分にかけて手首側方向へ延びる縦皺（弛み）ができ、一方、掌を握ったような状態にすると、掌の掌部分と指との接合部分から掌の中央部分にかけて面的な大きな弛みができる等の、フット性に課題を有する手袋となっていた。
このため、実際の商品としては、適さないものであった。
【０００８】
本発明は、このような状況に鑑みて、新規な構成の手袋を発明することにより、我が国の手袋のメーカーの再興を図るべくおこなわれたもので、生産性に優れ、しかも「はき心地」および「フィット感」を損なうことのない、且つ、非熟練の作業者でも容易に縫製できる手袋を提供することを目的とする。
【課題を解決するための手段】
【０００９】
本第１の発明にかかる手袋は、シート状の素材からなる複数のパーツを縫合することによって形成される５本指形の手袋であって、
本手袋の甲側のパーツは、
人指し指部分から小指部分にかけての各指と指とが指先部分で相互に開いた形態をなし、これらの指の股部分が相互に密着した形態の主部のパーツと、
前記主部のパーツと別のパーツを形成する親指部分のパーツとを備え、
本手袋の掌側のパーツは、
人指し指部分から小指部分にかけての各指と指とが相互に密着した形態をした主部と、
親指部分が前記主部の人指し指部分の指長手方向に対して略７０度から略８５度の挟み角を有するように、当該人指し指部分の親指側の付け根から延びるような形態に配置される親指部とを、一体に備え、
前記甲側の親指部分のパーツが前記甲側の主部のパーツに縫着されることによって甲側のパーツが形成されるとともに、これら縫着された前記甲側のパーツが、前記掌側のパーツと、それぞれの対応する部位の各外縁が一致するように重ね合わせた状態で該外縁に沿って縫合されてなることを特徴とする。
【００１０】
前述のように構成された手袋によると、前記主部のパーツと、前記親指部分のパーツと、前記掌側のパーツの３つのパーツの外縁を一致させた状態で当該外縁部分を縫合するだけで、簡単に手袋を製造することができる。
そして、前述のように縫合された手袋は、手の立体的形状に可及的にフィットした手袋となる。
しかも、非熟練者であっても、簡単に且つ短時間で製造することができる。
【００１１】
本第２の発明にかかる手袋は、シート状の素材からなる複数のパーツを縫合することによって形成される５本指形の手袋であって、
本手袋の甲側のパーツは、
人指し指部分と中指部分の間及び薬指部分と小指部分との間の各指と指とが指先部分で相互に開いた形態をなすととともに、中指部分と薬指部分との間が相互に平行状に且つ密着して配置された形態を有し、人指し指部分から小指部分の各指部分の股部分が相互に密着した形態の主部のパーツと、
前記主部のパーツとは別のパーツを形成する親指部分のパーツとを備え、
本手袋の掌側のパーツは、
人指し指部分から小指部分にかけての各指と指とが相互に密着した形態をした主部と、
親指部分が前記主部の人指し指部分の指長手方向に対して略７５度から略８５度の挟み角を有するように、当該人指し指部分の親指側の付け根から延びるような形態に配置された親指部とを、一体に備え、
前記甲側の親指部分のパーツが前記甲側の主部のパーツに縫着されるとともに、前記主部のパーツの前記中指部分と薬指部分との間の股部分に平面視が略Ｖ字状の襠部分を縫着し、これら縫着された前記甲側のパーツと前記掌側のパーツのそれぞれの対応する部位の各外縁が一致するように重ね合わせた状態で該外縁に沿って縫合されてなることを特徴とする。
【００１２】
前述のように構成された手袋によると、前記Ｖ字状の襠部分を縫着した前記主部のパーツと、前記親指部分のパーツと、前記掌側のパーツの、４つのパーツの外縁を一致させた状態で当該外縁部分を縫合するだけで、簡単に手袋を製造することができる。
そして、前述のように縫合された手袋は、手の立体的形状に可及的にフィットした手袋となる。
しかも、非熟練者であっても、簡単に且つ短時間で製造することができる。
【００１３】
前記手袋において、前記主部のパーツ及び前記親指部分のパーツの各指部分が、当該指部分の上面と両側の側面を形成するような幅寸法に構成されていると、前記縫合した部分が、指とそれに隣接する指の間の隙間に位置するため、手袋を履いたときに指に縫合した部分が触れることがないため、手に違和感を与えない手袋となる。
【００１４】
前記手袋において、前記甲側のパーツの主部のパーツ及び前記親指部分のパーツを、伸縮性のあるニット素材で構成すると、当該ニット素材によって、前記掌側のパーツに引っ張り勝手の応力（外力）を作用させることができ、掌側のパーツに発生しようとする弛みを可及的に無くし、よりフィット感のある手袋を実現することができる。
【００１５】
前記手袋において、前記掌側のパーツの各指の長さを、前記主部のパーツ及び前記親指部分のパーツの各指の長さに比べて、若干長く構成すると、手袋を履いた状態で前記掌側のパーツの各指先が上方へ曲がり込んで指先の先端面部分を保護するような構成の手袋を実現できる。
【発明の効果】
【００１６】
前述のように構成された本発明にかかる手袋によると、量産性に優れ、しかもはき心地が良くフィット感に優れた、且つ非熟練の作業者でも容易に縫製できる手袋を提供することができる。
【図面の簡単な説明】
【００１７】
【図１】本第１の発明の実施形態にかかる手袋の、シート状の手の甲側の主部と親指部のパーツを、手の甲側から見た（手の甲側のパーツを表面側から見た）当該パーツの平面形状を示す図である。
【図２】本第１の発明の実施形態にかかる手袋の、シート状の掌側のパーツを、掌側のパーツの内面側から見た、当該パーツの平面形状を示す図である。
【図３】図１，図２に示す二つのパーツに加えてさらに選択的に縫着される手首部分のパーツの平面形状を示す図である。
【図４】図１，図２に示す２つのパーツを重ねた状態でその外縁部分を縫合し、さらに図３に示すパーツを手首側に縫着することによって作られた手袋の斜視図である。
【図５】図４とは別の角度から見た図４に示す手袋の斜視図である。
【図６】本第２の発明の実施形態にかかる手袋の一部のパーツを示す図で、（ａ）は本第２の発明の実施形態にかかる手袋のシート状の手の甲側のパーツの手の甲側から見た（手の甲側のパーツの表面から見た）平面形状を示す図，（ｂ）は図２，図３に示す３つのパーツに加えてさらに選択的に縫着される中指部分と薬指部分の股の部分に縫着されるパーツの平面形状を示す図である。
【図７】図６と図２，図３に示す４つのパーツの外縁部分を縫合することによって作られた本第２の発明にかかる実施形態にかかる手袋の斜視図である。
【発明を実施するための形態】
【００１８】
以下、本発明の実施形態にかかる手袋を図面に基づいてより具体的に説明する。
図４，図５に図示する本第１の発明の実施形態にかかる手袋Ａは、素材として、図１に示す、シート状（この実施形態ではニット布）の手の甲側のパーツＰ１と、図２に示す、シート状（この実施形態では革）の掌側のパーツＰ２とを有する。また、図３に示す、選択的なパーツである手袋のシート状の手首部分のパーツＰ３を有する。
【００１９】
前記手の甲側のパーツＰ１は、図１に示す如く、主部のパーツＡａと親指部のパーツＡｂとを有している。
そして、前記主部のパーツＡａは、人指し指部分１ｂから小指部分１ｅにかけての各指先部分ｎで相互に開いた形態をしている。つまり、人指し指部分１ｂ，中指部分１ｃ，薬指部分１ｄ，小指部分１ｅの各指がそれぞれ隣り合う指先部分ｎと指先部分ｎが相互に開いた形態をしている。  また、図１に示す如く、これらの各指部、つまり、人指し指部分１ｂ，中指部分１ｃ，薬指部分１ｄ，小指部分１ｅの各指がそれぞれ隣り合う股部分ｍ相互が密着した形態をしている。
前記親指部のパーツＡｂは、前記主部のパーツＡａと別のパーツを形成している。
そして、前記親指部のパーツＡｂの接合部分１ａ１、つまり、図１では当該親指部分１ａのパーツＡｂの左端に位置する前記主部のパーツＡａとの接合部分１ａ１は、当該親指部のパーツＡｂが前記主部のパーツＡａに縫着された状態で、当該主パーツＡａの人指し指部分１ｂの指長手方向ｙ１に対して当該親指部の指長手方向ｙ２が略７０度〜９０度の挟み角Ｒを形成するような状態で、取着されるよう構成されている。なお、この実施形態では、前記挟み角Ｒは、略８５度に構成されている。
また、この親指部のパーツＡｂの接合部分１ａ１に隣接する部位には、展開図において略三角形状の屈曲用部分Ａｂ１が形成されている。このため、手袋Ａに仕上がったときには、親指部のパーツＡｂの指部分Ａｂ２が前記主部のパーツＡａに対して、離間する方（掌側）へ飛び出すような形態が形成できる。つまり、手袋Ａを履く人の手の自然体の形態と同じような形態にできている。
また、図１に図示するように、前記主部のパーツＡａの前記人指し指部分１ｂ，中指部分１ｃ，薬指部分１ｄ，小指部分１ｅおよび前記親指部分１ａの指部分Ａｂ２の幅寸法は、指の平面とそれらの両側面を形成するような寸法に構成されている。つまり、図１に図示するように、これらの指部分が前記両側面に対応する寸法分（図１の点線Ｇと外郭との間の寸法分）だけ幅広な形態になっている。なお、図１において点線Ｇは、各指の平面視の外縁に相当する。
【００２０】
一方、前記掌側のパーツＰ２は、図２に図示するように、一体のパーツとなった主部２Ｂと親指部２Ａとを有している。
そして、前記主部２Ｂは、人指し指部分２ｂから小指部分２ｅにかけての各指部分が相互に密着した形態を有する。つまり、各指部分同士が平行な状態で略密着した形態をしている。
一方、前記親指部２Ａは、前記主部２Ａの人指し指部分２ｂの指長手方向ｙ３に対して略７０度から略８５度の挟み角Ｑを有するように、当該人指し指部分２ｂの親指側の付け根２ｂ２から当該親指部２Ａが延びるような形態を有する。なお、この実施形態では、前記挟み角Ｑは、略８０度に構成されている。
【００２１】
また、この実施形態では、前記掌側のパーツＰ２の各指の長さを、前記手の甲側の主部のパーツＡａ及び前記親指部のパーツＡｂの各パーツの各指の長さに比べて、若干長く構成されている。このため、この手袋を手に嵌めたとき、掌側のパーツＰ２の各指先部位が各指の先端面部分を被うことができ、かかる掌側のパーツＰ２と、前記主部のパーツＡａおよび前記親指部のパーツＡｂの縫合線Ｌが、図５に図示するように、各指の爪先部分に位置するようにすることができる。
【００２２】
前記手首部分のパーツＰ３は、図３に図示するように、平面視が略台形状の形態をしており、上端（上辺部分）Ｂ３が、前記手の甲側のパーツＰ１と前記掌側のパーツＰ２の手首側の端に縫着される（図５参照）。このように縫着された状態で、かかる手首部分のパーツＰ３は、リング状の形態となり、図４，図５に図示するように、手袋Ａを履いた人の手首部分を被う。
【００２３】
そして、この実施形態では、素材的に、前記手の甲側のパーツＰ１には、伸縮性に富み且つ通風性に優れた素材、例えばニット素材等が使用されている。
一方、前記掌側のパーツＰ２には、前記手の甲側のパーツＰ１に比べて、伸縮性の低い材料であって、耐久性のある素材、例えば革（天然皮革や人工皮革）等が使用されている。また、前記手首部分のパーツＰ３は、伸縮性に富むように、ゴム糸を編み込んだニット素材のものを使用している。
しかしながら、本発明にかかる手袋は、素材的に特に限定されるものではなく、前記手の甲側のパーツＰ１および前記掌側のパーツＰ２に、共に革（牛革，羊皮，あるいはカンガルー皮等）を使用してもよく、あるいはアラミド繊維や炭素繊維製のニット生地や織生地等、種々の素材を用いることができる。また、前記手首部分のパーツＰ３についても、素材的に特に限定されるものではなく、革（牛革，羊皮，あるいはカンガルー皮等）を使用してもよく、あるいはアラミド繊維や炭素繊維製のニット生地や織生地等、種々の素材を用いることができる。
【００２４】
そして、前述のように構成された３つのパーツ、つまり、図１に図示する、前記主部のパーツＡａと前記親指部のパーツＡｂ、および、図２に図示する、前記掌側のパーツＰ２の３つのパーツを、それぞれ対応する部位を重ねた状態で縫着することによって、手の形態に合致した立体的な手袋Ａを実現することができる。
具体的には、前記主部のパーツＡａに前記親指部のパーツＡｂを縫合することによって、前記手の甲側のパーツＰ１を形成し、次に、かかる甲側のパーツＰ１と前記掌側のパーツＰ２とを、各対応する部位を重ね合わせた状態でこれらの外縁部Ｂ１，Ｂ２を縫合することによって、図４，図５に図示するような、立体的な手袋Ａを実現することができる。
また、前記手首部分のパーツＰ３の一端Ｂ３（図３の上端）を、前記手袋の形態に縫合された前記甲側のパーツＰ１と前記掌側のパーツＰ２の手首側の端Ｂ４に縫合されると、手首部分まで被うような形態の手袋とすることができる。しかし、手首部分が長くない形態の手袋の場合には、あるいは、前記甲側のパーツＰ１と前記掌側のパーツＰ２の手首側の端を長く構成する場合には、前記手首部分のパーツＰ３は不要である。
ところで、この実施形態では、前記甲側のパーツＰ１の主部のパーツＡａと親指部のパーツＡｂと、前記掌側のパーツＰ２とがそれぞれ物理的に１枚のシート状の素材から構成されているが、一部を別の素材、例えば、指先部分のみを耐久性（あるいは耐熱性）のある本革等で構成するような場合には、シート状の状態のときに、その部分のみ別の素材で構成し縫着することも可能であり、このような構成は、本発明の技術的思想を逸脱するものではない。つまり、このような構成であっても、前述した本発明の作用効果を損なうものではない。
【００２５】
そして、このように縫合されてできあがった手袋Ａは、手に履いた状態で、親指部分が手の甲や掌部分に対して、前方（反手の甲側）に屈曲した、つまり自然体のときの手の形態に合致した立体的形状を有する手袋となる。つまり、従来の２枚のパーツのみを縫合することによって形成された従来の手袋に比べて飛躍的にフィット感が向上した手袋を実現することができる。
また、前述のように縫合が単純におこなえることから、非熟練者であっても、簡単に且つ短時間で製造することができる。つまり、生産性の高い手袋となる。
【００２６】
ところで、本第２の発明の実施形態にかかる手袋１０Ａは、以下のように構成され、前記第１の発明の実施形態にかかる手袋Ａと同じく、本発明の課題を解決することができる。以下、本第２の発明の実施形態にかかる手袋１０Ａについて、相違する構成のみ説明し、図１〜図５と同じ構成であって主要な構成について、図６に同じ参照符号に１０を加えた参照符号を付す。なお、かかる第２の発明にかかる実施形態にかかる手袋では、掌側のパーツＰ２、手首部分のパーツＰ３については、同じ構成を具備している。
つまり、図６に図示するように、手の甲側のパーツ１０Ｐ１は、図６に示す如く、主部のパーツ１０Ａａと親指部のパーツ１０Ａｂとを有している。
そして、前記主部のパーツ１０Ａａは、人指し指部分１１ｂと中指部分１１ｃとの間、および薬指部分１１ｄと小指部分１ｅの間は、指と指とが指先部分１０ｎで相互に開いた形態をしている。そして、前記中指部分１１ｃと薬指部分１１ｄとの間は、互いに平行に略密着した形態をしている。また、これらの各指部、つまり、人指し指部分１１ｂ，中指部分１１ｃ，薬指部分１１ｄ，小指部分１１ｅの各指の股部分１０ｍは相互に密着した形態をしている。
前記親指部のパーツ１０Ａｂは、前記第１の発明の実施形態にかかる手袋と基本的に同じ形態に構成されている。
また、本手袋１０Ａの場合、図６に図示するように、前記中指部分１１ｃと薬指部分１１ｄとの間の股部分に縫着される略Ｖ字状の襠部分のパーツ１２を有している。
このため、前記手の甲側のパーツ１０Ｐ１は、図１〜図５に示す手袋に比べて、かかるパーツ１０Ｐ１全体の幅寸法を小さくすることができる。
【００２７】
そして、前記図６に図示する手袋１０Ａの場合、前述のように構成されたパーツ、つまり、図６に図示する、前記主部のパーツＡａと前記親指部のパーツＡｂ、および襠部分のパーツ１２と、図２に図示する前記掌側のパーツＰ２の４つのパーツ、および選択的なパーツである手首部分のパーツＰ３を、それらの対応する部位を縫着することによって、手の形態に合致した立体的な手袋１０Ａを実現することができる。
具体的には、前記襠部分のパーツ１２を縫着した主部のパーツ１０Ａａに、前記親指部のパーツ１０Ａｂを縫合することによって、前記手の甲側のパーツ１０Ｐ１を形成し、次に、かかる甲側のパーツ１０Ｐ１と図２に図示する前記掌側のパーツＰ２とを、各対応する部位を重ね合わせた状態でこれらの外縁部位を縫合することによって、図７に図示するように、立体的な手袋１０Ａを実現することができる。
そして、このように構成された手袋１０Ａは、図１〜図５に図示する手袋Ａと同じく、図７に図示するように、自然体のときの手の形態に合致した立体的形状を有する手袋となる。つまり、従来の２枚のパーツのみを縫合することによって形成された手袋に比べて飛躍的にフィット感が向上した手袋を実現することができる。
また、前述のように縫合が単純におこなえることから、非熟練者であっても、簡単に且つ短時間で製造することができる。つまり、生産性の高い手袋となる。
さらに、かかる手袋１０Ａは、前記主部のパーツ１０Ａａの全幅を小さくできることから、図１〜図５に図示する手袋に比べて歩留りの良い手袋となる。
【００２８】
本発明は、前記実施形態に限定されるものでなく、本発明の技術的思想に基づく範囲において種々の形態で実施することが可能となることは言うまでもない。
【産業上の利用可能性】
【００２９】
本発明にかかる手袋は、種々の手袋の製造産業の分野において利用できる。
【符号の説明】
【００３０】
Ａ（１０Ａ）  …手袋
Ｐ１（１０Ｐ１）…甲側のパーツ
Ａａ（１０Ａａ）…（甲側のパーツＰ１の）主部のパーツ
Ａｂ（１０Ａｂ）…（甲側のパーツＰ１の）親指部分のパーツ
１ｂ（１０１ｂ）…（甲側のパーツＰ１の）人指し指部分
１ｅ（１０１ｅ）…（甲側のパーツＰ１の）小指部分
Ｐ２…掌側のパーツ
２Ｂ…（掌側のパーツの）主部
２Ａ…（掌側のパーツの）親指部
ｍ …股部分
ｎ …指先部分
【図１】
2018009267.tif 000003
【図２】
2018009267.tif 000004
【図３】
2018009267.tif 000005
【図４】
2018009267.tif 000006
【図５】
2018009267.tif 000007
【図６】
2018009267.tif 000008
【図７】
2018009267.tif 000009